(57)【特許請求の範囲】
【請求項１】
少なくとも躯体外側端部に躯体側面に沿った被挟持片部を形成してなる笠木本体と、少なくとも躯体外側に下折板を形成してなる笠木ホルダーと、少なくとも躯体固着面部及びこの躯体固着面部から躯体外側方向に張り出してなる支持片部とを有する台座部材と、少なくとも接合面部及びこの接合面部の躯体内側端部に立設してなる挟持片部を有する係止部材とからなり、前記躯体固着面部を笠木ホルダーの下折板の直下の躯体側面に固着して台座部材を固定し、当該躯体固着面部と前記係止部材の挟持片部との間で笠木本体の被挟持片部を挟持するように台座部材の支持片部に係止部材の接合面部を接合固定してなる構成を有する外装笠木の取付け構造。
【請求項２】
少なくとも躯体外側端部に躯体側面に沿った被挟持片部を形成してなる笠木本体と、少なくとも躯体外側に下折板を形成してなる笠木ホルダーと、少なくともホルダー固着面部、躯体固着面部及びこの躯体固着面部から躯体外側方向に張り出してなる支持片部とを有する台座部材と、少なくとも接合面部及びこの接合面部の躯体内側端部に立設してなる挟持片部を有する係止部材とからなり、前記ホルダー固着面部を笠木ホルダーの下折板に固着すると共に前記躯体固着面部を躯体側面に固着して台座部材を固定し、当該躯体固着面部と前記係止部材の挟持片部との間で笠木本体の被挟持片部を挟持するように台座部材の支持片部に係止部材の接合面部を接合固定してなる構成を有する外装笠木の取付け構造。
【発明の詳細な説明】
【０００１】
【発明の属する技術分野】
本発明は、建造物のパラペット天端部や腰水切部等に被着する外装笠木の取付け構造であって、特に躯体の外側に大きくデザイン部を張り出してなる外装笠木の取付けに適した外装笠木の取付け構造に関する。
【０００２】
【従来の技術】
建造物のパラペット天端部に被着する笠木は、パラペット天端部等を保護するために設置するものであり、従来、図３に示すように、パラペット両面側に下折板５１ａ、５１ａを形成してなるホルダー５１を天端部に適宜間隔毎に配設し、このホルダー５１に対し、天端部をカバーする巾と適宜長さとを有する上面部５２ａの両側にパラペット側面に沿う下折面５２ｂ、５２ｂを形成してなる笠木本体５２を、前記下折板５１ａ、５１ａ下端部に当該下折面５２ｂ、５２ｂの下端部を係合させて被着するのが一般的であった。
このようにホルダー５１に対して笠木本体５２をボルト締めなどによって完全に固定しないのは、取付け作業が容易であるという理由ばかりではなく、完全に固定してしまうと温度や天候等の外的条件の変化によって金属製の笠木本体５２自体が伸縮した場合にこれに追随することができず、笠木本体５２にゆがみなどの変形が生じてかえって建造物の外観の意匠性を低下させるおそれがあることが一因であった。
【０００３】
他方、最近の笠木には、パラペット天端部等の保護だけではなく建物外観の化粧を行う役割をも持たせる傾向があり、例えば図４に示すように、上述の笠木本体５２における下折面５２ｂの部分を躯体外側に適宜形状に膨出させるなどしてこの部分をデザイン部５２Ａとして形成することが多い。
【０００４】
【発明が解決しようとする課題】
ところが、従来のように笠木本体５２の下折面５２ｂ、５２ｂ下端部を、これに対応したホルダー５１の下折板５１ａ、５１ａ下端部に係合させる取付け構造では、笠木本体の取付け強度が低く、特に風圧強度が劣るために上記デザイン部５２Ａを躯体外側に大きく張り出させることができず、デザイン的にかなりの制約を受けていた。
【０００５】
そこで本発明は、上記従来の問題点に鑑みて、笠木本体自体の熱伸縮等に追随できるように笠木本体を完全に固定しない取付け構造であって、しかもそれでいて取付強度特に対風圧強度が高く、躯体外側に大きく張り出したデザイン部を形成することができる外装笠木の取付け構造を提供せんとするものである。
【０００６】
【課題を解決するための手段】
本発明は、上記課題を解決するための外装笠木の取付け構造として、少なくとも躯体外側端部に躯体側面（例えばパラペット側面）に沿った被挟持片部を形成してなる笠木本体と、少なくとも躯体外側に下折板を形成してなる笠木ホルダーと、少なくとも躯体固着面部及びこの躯体固着面部から躯体外側方向に張り出してなる支持片部とを有する台座部材と、少なくとも接合面部及びこの接合面部の躯体内側端部に立設してなる挟持片部を有する係止部材とからなり、前記躯体固着面部を笠木ホルダーの下折板の直下の躯体側面（例えばパラペット側面）に固着して台座部材を固定し、当該躯体固着面部と前記係止部材の挟持片部との間で笠木本体の被挟持片部を挟持するように台座部材の支持片部に係止部材の接合面部を接合固定するように構成した。
【０００７】
上記構成において、笠木本体と笠木ホルダーの下折板下端部との間には距離を設け、この距離を係止部材における挟持片部の起立高さよりも狭幅に設定するのが好ましい。
【０００８】
また、本発明の外装笠木の取付け構造は、上記の台座部材を少なくともホルダー固着面部、躯体固着面部及びこの躯体固着面部から躯体外側方向に張り出してなる支持片部を有するように形成し、前記ホルダー固着面部を笠木ホルダーの下折板に固着すると共に前記躯体固着面部を躯体側面（例えばパラペット側面）に固着して台座部材を固定してなるように構成することもでき、この場合には、上記係止部材の接合面部の躯体外側に前面板部を形成し、この前面板部の上端部と、台座部材のホルダー固着面部の下端部との間に距離を設けると共に、この距離を係止部材における挟持片部の起立高さよりも狭幅に設定するのが好ましい。
【０００９】
上記外装笠木の取付け構造によれば、笠木本体の一側端部（挟持片部）を台座部材と係止部材とで挟持して固定するものであって、ボルト等によって少しも動かないように完全に固定するものではないから、笠木本体の熱伸縮等を妨げることがない。しかも、笠木本体の熱伸縮や風の影響などによって被挟持片部が上方に移動したとしても、被挟持片部に連続した笠木本体の部分が笠木ホルダーの下折板下端部、若しくは台座部材のホルダー固着面部下端部に当接し、当該被挟持片部が躯体固着面部、挟持片部間から離脱することがないから、対風圧強度に優れており笠木本体を躯体外側に大きく張り出すように任意にデザインすることができる。
【００１０】
【発明の実施の形態】
以下、本発明を実施例に基づき具体的に説明する。
【００１１】
本実施例では、図１に示すように、天端部Ａから躯体外側に張り出したデザイン部１Ａを有する笠木本体１を、パラペット天端部Ａにその長さ方向に適宜間隔をおいて配設固定するホルダー２と、笠木本体１の少なくとも一側端部を挟持固定する固定部材３とによってパラペット天端部Ａに被着固定している。
【００１２】
笠木本体１は、パラペット天端部Ａを被覆する上面部１ａを有し、この上面部１ａの躯体外側端をパラペット側面Ｃから躯体外側に延設し、パラペット側面Ｃから躯体外側に大きく偏平三角形断面形状に張り出してなるデザイン部１Ａを形成し、このデザイン部１Ａの下端縁部をパラペット側面Ｃに沿うように折曲して被挟持片部１ｂを形成し、前記上面部１ａの躯体内側端縁をパラペット側面Ｃに沿う方向に折曲して下折面部１ｃを形成し、この下折面部１ｂの下端部はパラペット側面Ｃ方向に水平に屈曲して係合部１ｄを形成してある。
【００１３】
ホルダー２は、パラペット天端部Ａの天端面Ｂの巾方向にわたる所要巾を有する天端面固着部２ｂを有し、この天端面固着部２ｂの中央部に笠木本体１の上面部１ａを支持する支持台座２ａを適宜高さに突設し、天端面固着部２ｂの両側に笠木本体１の上面部１ａに水勾配を与えるように若干高く突出する支持面部２ｃ、２ｄを形成し、これら支持面部２ｃ、２ｄの外側に下折板２ｅ、２ｆを若干下開き状に形成してある。天端面固着部２ｂにはアンカーボルト用の長孔を穿設してあり、この長孔にアンカーボルトを打ち込んで天端面Ｂに適宜間隔をおいて固定し配設してある。
【００１４】
固定部材３は、図１及び図２に示すように、台座部材４及び係止部材５の２つの部材から構成してある。
【００１５】
すなわち、台座部材４は、上記ホルダー２の下折板２ｅに沿って傾斜してなる適宜幅のホルダー固着面部４Ａを有し、このホルダー固着面部４Ａの下端部付近からデザイン部１Ａの下面傾斜に沿う方向にガイド片部４Ｂを躯体外側に突設する一方、ホルダー固着面部４Ａの下端縁部を躯体内側すなわちパラペット側面Ｃ側に屈曲して水平面部４Ｃを形成し、この水平面部４Ｃの躯体内側端縁部をパラペット側面Ｃに沿うように折曲して躯体固着面部４Ｄを形成し、この躯体固着面部４Ｄの中間部から躯体外側水平方向に支持片部４Ｅを形成してある。なお、支持片部４Ｅの先端部は、ホルダー固着面部４Ａの下端部の直下若しくはこれより若干躯体内側寄りの直下まで張り出すように形成してある。
また、ホルダー固着面部４Ａ、躯体固着面部４Ｄ及び支持片部４Ｅには固定部材挿通孔を穿設してある。
【００１６】
他方、係止部材５は、上記支持片部４Ｅと略同じ大きさの水平面として形成してなる接合面部５Ａを有し、この接合面部５Ａの躯体内側端縁部を適宜高さに起立して挟持片部５Ｂを形成する一方、接合面部５Ａの躯体外側にパラペット側面Ｃに沿う方向に立設した前面板部５Ｃを形成し、この前面板部５Ｃの上端縁部を笠木本体１のデザイン部１Ａの下面に沿うように屈曲して笠木支持片部５Ｄを形成してなっている。
【００１７】
而して、上記台座部材４のホルダー固着面部４Ａをホルダー２の下折板２ｅの下端外側面に当接してネジなどの固定部材６によって固着する一方、躯体固着面部４Ｄをパラペット側面Ｃにおける上記下折板２ｅの直下位置に当接してアンカーボルトなどの固定部材７を打ち込んで固着して台座部材４を固定する。次いで、笠木本体１の被挟持片部１ｂを台座部材４の躯体固着面部４Ｄと係止部材５の挟持片部５Ｂとで挟持するように、セルフタッピングビスやボルトナット等の固定部材８で係止部材５の挟持片部５Ｂを台座部材４の躯体固着面部４Ｄに固定し、これによって笠木本体１の躯体外側端部を固定している。この時、躯体外側からパラペット側面Ｃに向かって下り傾斜したデザイン部１Ａの下面部は、笠木支持片部５Ｄとホルダー固着面部４Ａとの間の隙間から前面板部５Ｃの躯体内側に侵入し、ホルダー固着面部４Ａとデザイン部１Ａとの間には若干の距離をおき、デザイン部１Ａの下面を笠木支持片部５Ｄで支持するようにしてある。
【００１８】
なお、このように係止部材５を台座部材４に組み付けた状態における笠木支持片部５Ｄとホルダー固着面部４Ａとの間の距離ｘ（或いはホルダー固着面部４Ａとデザイン部１Ａとの距離）は、少なくとも挟持片部５Ｂの起立高さｈよりも狭幅に設定することが好ましい。このように設定すれば、笠木本体１の熱伸縮や風の影響などによって被挟持片部１ｂが上方移動しても、デザイン部１Ａの下面部がホルダー固着面部４Ａの下端部に当接するまでが限界だから、被挟持片部１ｂが躯体固着面部４Ｄ、挟持片部５Ｂ間からは離脱することがなくより一層確実に笠木本体１の躯体外側端部を固定することができる。他方、笠木支持片部５Ｄとホルダー固着面部４Ａとの間の距離ｘが狭すぎると、笠木本体１が伸延した場合にデザイン部１Ａの下面がホルダー固着面部４Ａに当接して笠木本体１に歪みを与えるおそれがあるから、距離ｘはデザイン部１Ａの板厚より若干大きくなるように０．５ｍｍ〜１．０ｍｍ程度に設定するのが好ましい。
【００１９】
以上のように、本実施例の外装笠木の取付け構造によれば、パラペット天端部Ａに適宜間隔をおいてホルダー２、２・・を配設固定し、各ホルダー２に固着するように台座部材４を固定し、次いで、笠木本体１の係合部１ｄを各ホルダー２の下折板２ｆ下端部に係合させる一方、前記台座部材４に係止部材５を固定して被挟持片部１ｂを挟持すれば笠木本体１を被着固定することができるから、笠木本体１の取付け作業を極めて容易に行うことができる。
【００２０】
しかも、笠木本体１の一側端部を台座部材４と係止部材５とで挟持して固定するものであって、ボルト等によって少しも動かないように完全に固定するものではないから、笠木本体１の熱伸縮を妨げることがなく、デザイン部１Ａなどに歪みが生じることがない。
更には、笠木本体１の熱伸縮や風の影響などによって被挟持片部１ｂが上下動しても、被挟持片部１ｂが躯体固着面部４Ｄ、挟持片部５Ｂ間からは離脱することがないから、笠木本体１の熱伸縮に追随可能な取付け構造であるばかりか、対風圧強度においても優れている。この対風圧強度の点では更に、笠木本体１のデザイン部１Ａの下面を笠木支持片部５Ｄが支持する一方、デザイン部１Ａの上面に沿ってガイド片部４Ｂが形成されるから、笠木本体１が上下方向からの強い風を受けたとしても、これら笠木支持片部５Ｄ及びガイド片部４Ｂがガイドすることによってデザイン部１Ａが上下方向に大きく揺れるのを抑制することができ、より一層対風圧強度が高められている。これより、躯体外側に大きく張り出したデザイン部を任意に形成することができる。
また更に、笠木支持片部５Ｄとホルダー固着面部４Ａとの間の距離ｘ（或いはホルダー固着面部４Ａとデザイン部１Ａとの距離）を所定範囲に設定することにより、笠木本体１の固定を一層確実なものとすることができ、笠木本体１の対風圧強度をさらに一層高めることができる。
また、台座部材４と係止部材５の取り付け位置は、デザイン部１Ａの形状によっては、ホルダー２の下折板２ｅの長さを変えることで任意に移動させることができるし、ホルダー２に固着せず、パラペット側面Ｃのみに固着するものであれば、さらに任意に移動させることができる。すなわち、デザイン部１Ａの様々な形状に対応することができるようになっている。
【００２１】
なお、本実施例では、台座部材４にホルダー固着面部４Ａを形成し、この台座部材４をパラペット側面Ｃと共にホルダー２に対しても固着するように構成してあるが、台座部材４を躯体固着面部４Ｄ及び支持片部４Ｅのみから形成することも可能である。
【図面の簡単な説明】
【図１】本発明の一実施例に係る外装笠木の取付け構造の一例を示した側断面図である。
【図２】図１における笠木本体の躯体外側端部の取付け構造を拡大して示した側断面図である。
【図３】従来の外装笠木の取付け構造の一例を示した上面側斜視図である。
【図４】デザイン部を躯体外側に膨出してなる外装笠木の取付け構造の従来例を示した側断面図である。
【符号の説明】
Ａ      パラペット天端部
Ｃ      パラペット側面
１      笠木本体
１Ａ    デザイン部
１ａ    上面部
１ｂ    被挟持片部
１ｃ    下折面部
１ｄ    係合部
２      ホルダー
２ａ    支持台座
２ｂ    天端面固着部
２ｃ，２ｄ  支持面部
２ｅ，２ｆ  下折板
３      固定部材
４      台座部材
４Ａ    ホルダー固着面部
４Ｂ    ガイド片部
４Ｃ    水平面部
４Ｄ    躯体固着面部
４Ｅ    支持片部
５      係止部材
５Ａ    接合面部
５Ｂ    挟持片部
５Ｃ    前面板部
５Ｄ    笠木支持片部
【図１】
0004098423.tif 000002
【図２】
0004098423.tif 000003
【図３】
0004098423.tif 000004
【図４】
0004098423.tif 000005